(57)【特許請求の範囲】
【請求項１】
版胴の一方軸側に、円周方向の見当合せを行う天地方向見当合せ用モータと回転角度の位相を検知するポテンション部が配設され、また版胴の他方軸側に、版胴の軸方向の見当合せを行う左右方向見当合せ用モータと軸方向の見当位置を検知するポテンション部が配設された印刷機の見当合せ装置において、前記天地方向見当合せ用モータと減速機とを連結し、該減速機に角度センサーを内蔵するポテンション部を連結し、天地方向見当合せ用モータとポテンション部とを一体化するとともに、前記左右方向見当合せ用モータと減速機とを連結し、該減速機に角度センサーを内蔵するポテンション部を連結し、天地方向見当合せ用モータとポテンション部とを一体化し、夫々のポテンション部を手動で回動しながらゼロ点調整を行うようにし、ポテンション部は角度センサーを固設した環状の基板外周を円筒ケースに設けたフランジ部とを密着させ、該ポテンション部のフランジ部を前記減速機のケーシングにねじにより固定金具を介して固定させ、見当合せ時にねじを緩めて固定金具をフランジ部から離間させ、円筒ケースを手動で回動して角度センサーの位相角による基準ゼロ点を外部から設定することを特徴とする印刷機の見当合せ装置。
【発明の詳細な説明】
【技術分野】
【０００１】
本発明は、印刷機の見当合せ装置に係り、特に回転位相を検出するポテンション部と駆動モータとを一体化し、手動でポテンション部のケースを回動させてゼロ点調整を外部からできるようにした印刷機の見当合せ装置に関する。
【背景技術】
【０００２】
印刷機の版胴の軸部には、優美な印刷物を得ることができなくなる見当ずれを招起したときに備えて、版胴が巻きつけられている版胴自体を、天地方向に移動させて見当ずれを修正する天地見当合せ装置や、左右方向に移動させて見当ずれを修正する左右見当合せ装置が配設されている（以下、天地見当合せ装置及び左右見当合せ装置を称して見当合せ装置という）。
【０００３】
従来の特許文献１に開示されている天地見当合せ装置においては、版胴の軸端に軸方向に設けられた複数の溝に、放射状に取付けた調整軸の内端をはすば歯車の軸心スリーブに挿入し、調整軸の内端に同調整軸の軸心から偏心して枢着されたころがり軸受を、それぞれ前記複数の溝の一方及び他方の肩に当接させた状態で同調整軸を固定することで、はすば歯車の軸方向移動時におけるはすば歯車と版胴軸端の間のガタを除去させている。
【０００４】
この特許文献には、駆動モータとポテンション部とが記載されていないが、駆動モータとポテンション部とは版胴軸の歯車と夫々複数の歯車により連結されているので、歯車間のバックラッシュにより、見当狂いが生じて印刷の品質が悪くなっていた。
【０００５】
また、特許文献２に開示されている左右見当合せ装置においては、駆動モータの軸は減速機を介して一端にネジ軸を有するシャフトを回転させ、該ネジ軸に係合させたブラケットを移動し、ブラケットに連結する偏心軸受へ軸支させた版胴を移動させるようにしている。図示されていないポテンション部は版胴軸の歯車と複数の歯車により連結されているので、歯車間のバックラッシュにより、見当狂いが生じて印刷の品質が悪くなっていた。
【０００６】
【特許文献１】特開平６−１２６９２７号公報
【特許文献２】特開平１１−３１４３４５号公報
【発明の開示】
【発明が解決しようとする課題】
【０００７】
特許文献１及び特許文献２に開示された見当合せ装置においては、版胴の天地又は左右の位相角度を測定するポテンション部の版胴周囲における取り付け位置の制約と、複数の歯車の使用によるバックラッシュが問題であった。
【０００８】
本発明は、これらの問題点に鑑みてなされたものであって、その目的は、駆動モータとポテンション部とを一体化してゼロ点調整に係る歯車の数を少なくし、バックラッシュや振動などの機械的要素の影響を受けずに調整を容易に行え、印刷皮質の向上と設備装置のコストダウン及び手動で外部から位相調整を行うようにした印刷機の検討合せ装置を提供することにある。
【課題を解決するための手段】
【０００９】
本発明によれば、版胴（５）の一方軸（５ａ）側に、円周方向の見当合せを行う天地方向見当合せ用モータ（１９）と回転角度の位相を検知するポテンション部（１６）が配設され、また版胴（５）の他方軸側（５ｂ）に、版胴（５）の軸方向の見当合せを行う左右方向見当合せ用モータ（１９）と軸方向の見当位置を検知するポテンション部（１６）が配設された印刷機の見当合せ装置において、前記天地方向見当合せ用モータ（１９）と減速機（１７）とを連結し、該減速機（１７）に角度センサー（２７）を内蔵するポテンション部（１６）を連結し、天地方向見当合せ用モータ（１９）とポテンション部（１６）とを一体化するとともに、前記左右方向見当合せ用モータ（１９）と減速機（１７）とを連結し、該減速機（１７）に角度センサー（２７）を内蔵するポテンション部（１６）を連結し、左右方向見当合せ用モータ（１９）とポテンション部（１６）とを一体化し、夫々のポテンション部（１６）を手動で回動しながらゼロ点調整を行うようにし、前記ポテンション部（１６）は角度センサー（２７）を固設した環状の基板（２６）外周を円筒ケース（２８）に設けたフランジ部（３２）とを密着させ、該円筒ケース（２８）のフランジ部（３２）を前記減速機（１７）のケーシング（１７ａ）にねじ（３３）により固定金具（３４）を介して固定させ、見当合せ時にねじ（３３）を緩めて固定金具（３４）をフランジ部（３２）から離間させ、円筒ケース（２８）を手動で回動して角度センサー（２７）の位相角による基準ゼロ点を外部から設定するようになっている。
【発明の効果】
【００１１】
請求項１に係る発明によれば、天地方向見当合せようモータと減速機とを連結し、該減速機に角度センサーを内蔵するポテンション部を連結するとともに、左右方向見当合せようモータと減速機とを連結し、該減速機に角度センサーを内蔵するポテンション部を連結し、夫々のポテンション部を手動で回動しながらゼロ点調整を行うようにしたから、ゼロ点調整を減速機と一体化したポテンション部で直接行え、歯車のバックテンションや振動などの機械的要素の不具合な影響を受けずに見当合わせを容易かつ確実に行え、設備装置のコストダウンも図ることができる。
【００１２】
また、請求項２に係る発明によれば、円筒状のケースのフランジ部が固定金具により減速機に圧接されているポテンション部を、見当合せ時に固定金具を緩めて手動でケースを回転させることで、ゼロ点調整をケース外部から自在にでき、操作が簡単で迅速に調整することができる。
【発明を実施するための最良の形態】
【００１３】
以下、図面を参照して本発明の実施形態について説明する。
【００１４】
図１は本発明に係る印刷機の見当会わせ装置の一実施形態を示す概略構成図、図２は図１の見当会わせ装置における天地見当調整装置の拡大図、図３は図１の見当会わせ装置における左右見当調整装置の拡大図、図４はポテンション部と減速機の構造断面図、図５は円筒ケースと駆動モータの取付外観図である。
【００１５】
図１、図２において、見当合せ装置は天地方向見当合せ装置１と左右方向の見当合せ装置２とからなり、枚葉輪転機の両フレーム３ａ、３ｂに固設した偏心軸受４に、外周面に図示しない刷版が巻き付けられた版胴５の軸と、この版胴５に対向して配置されたブランケット胴６の軸が、夫々回転自在に軸支されている。
【００１６】
図２に示す偏心軸受４に挿入された版胴５の一方の軸端５ａには、すべりキー９を介して駆動はすば歯車７が版胴５と同軸状に取付けられ、この駆動はすば歯車７の後部即ち版胴５から遠方部に半径方向に伸びた環状のフランジ部８が設けられている。軸端５ａの軸心は版胴５の軸心に対し偏心している。すべりキー９は軸端５ａと駆動はすば歯車７内側との間に配設され、駆動はすば歯車７を回転方向に固定する一方、軸方向には自由に移動可能にしている。
【００１７】
この駆動はすば歯車７は、図１に示すように、駆動ラインシャフト１０に噛合され、隣接するブランケット胴６の軸に設けたはすば歯車１１とも噛合してブランケット胴６を回転させる。
【００１８】
この版胴５の駆動はすば歯車７のフランジ部８を、摩擦板１２ｃ、１２ｄを介して包み込み断面がコの字状部１２ａを有し、中心部に孔１２ｂが開口するダンベル状を呈し、後述のねじが設けられたねじ付歯車１２が配設される。
【００１９】
フランジ部８の環状内周面とねじ付歯車１２のコの字状部１２ａの半径方向外周面の間には僅少隙間が形成されており、ねじ付歯車１２は印刷中に常時回転しているはすば歯車７と異なり、見当合わせをする必要な時以外回転しない。
【００２０】
このねじ付歯車１２の中心開口１２ｂ内に、中心開口を有する円筒状のボールねじ１３が挿通され、ボールねじ１３とねじ付歯車１２、好ましくはボールねじ１３とねじ付歯車１２の後端部とは図示しないねじにより螺着されている。ねじ付歯車１２とボールねじ１３とは、共に版胴５の軸と同軸状に取付けられている。
【００２１】
このボールねじ１３の中心開口には雌ねじ１３ｂが刻設され、シャフト１５に雄ねじ１５ｂが刻設され、両ねじ１３ｂ、１５ｂは互いに螺合している。
【００２２】
印刷機のフレーム３ａに固定された支柱(図示せず)に支持されたサブフレーム１４ａの外側に天地方向見当合わせ装置１で調整した位相調整量をボールねじ１３に伝達するシャフト１５と、ポテンション部１６を設けた減速機１７とが固設されている。
【００２３】
シャフト１５は円柱形状を有し、サブフレーム１４ａに固設した軸受１８に挿入され、版胴５の軸５ａ側先端部分の外周に雌ねじ１３ｂが螺設されて、該雌ねじ１３ｂにはボールねじ１５の雄ねじ１５ｂが螺合する。
【００２４】
シャフト１５の後方(版胴５から遠ざかる方向)にはフランジ部１５ｆが設けられ、該フランジ部１５ｆはサブフレーム１４ａ側の軸受１８に当接固定され、該軸受１８はシャフト１５に植設した複数のキー１８ａと当接している。
【００２５】
従って、シャフト１５は前進後退及び回転もできずにサブフレーム１４ａに固定されることになり、ボールねじ１３が回転する際に、ボールねじ１３の雌ねじ１３ｂがシャフト１５の前部の雄ねじ１５ｂ上を螺旋状に回転移動する。
【００２６】
天地方向見当合わせ装置１は、ポテンション部１６、減速機１７及び駆動モータ１９とから構成される。
【００２７】
図４、図５に示すように、サブフレーム１４ａに固定された減速機１７本体即ちケース１７ａ内には、複数のギアからなるギア群が設けられている。
【００２８】
即ち、駆動モータ１９の駆動軸２２の先端部にウォームギア２３が取付けられ、該ウォームギア２３に直交して係合する中間ギア２４即ちウォームホイールが設けられ、更に該中間ギア２４と同軸のウォームギアが中間ギア２４に直交し出力軸２０に取付けたウォームギア２５に噛合するように配設されている。減速機自体は図示例に限ることなく公知のものを使用できる。
【００２９】
そしてサブフレーム１４ａに設けた孔部を貫通した減速機の出力軸２０の先端には、駆動歯車２１が取付けられ、図２に示すように、該駆動歯車２１はねじ付歯車１２外周のギアと噛合している。
【００３０】
天地見当合わせ装置１を駆動させるための駆動モータ１９は、サブフレーム１４ａと平行に減速機１７の側部に設けられている。
【００３１】
前記出力軸２０と反対側の減速機１７の端部には、ポテンション部１６が回動可能に連設されている。ポテンション部１６は、中心に孔が穿設された環状の基板２６に固設した角度センサー２７と、該角度センサー２７を内包し、基板２６に密着固定した円筒ケース２８と、該円筒ケース２８の外周に固設され、角度センサー２７と電気コードで接続されたプラグ３１とから構成されている。
【００３２】
角度センサー２７は基板２６の中心孔を貫通した角度センサー軸２９を有し、該角度センサー軸２９は前記出力軸２０の内部に設けた溝に嵌入されて、減速機１７内で出力軸２０とねじで固定される。また、位相角度を測定する角度センサー２７と、円筒ケース２８の側面に設けられたプラグ３１との間に電気コード３０が接続され、プラグ３１は図示しない表示部へ電気信号を送るようになっている。
角度センサー軸２９と出力軸２０との接続は、角度センサー２７の回転数を上げるためにギヤを介してもよい。
【００３３】
円筒ケース２８は有底状を呈し、その開放端部に環状のフランジ部３２が形成され、該フランジ部３２の外周内面と基板２６の外周面とはシールパッキングを介して密着固定されている。従って、円筒ケース２８を回動すると、基板２６と角度センサー軸２９も共に回動することができる。
【００３４】
さらに、図５に示すように、円筒ケース２８のフランジ部３２の外周面は、内周が円筒ケース２８と同じ円周をした内溝３４ａを有し、複数のねじ挿通孔が穿設された略半円弧状の固定金具３４の内溝３４ａを被嵌し、複数のねじ挿通孔に挿入したねじ３３により減速機本体３４ａと締結している。
【００３５】
版胴５の他方側の操作側には、図３に示す左右方向の見当合わせ装置２が設けられている。この左右方向見当合わせ装置２は、部分的に前記天地方向見当合わせ装置１と同じ構成の部材を用いており、これらの部材についての詳細な説明は省略する。
【００３６】
印刷機のフレーム３ｂの偏心軸受４に軸支された版胴５の他方の軸端５ｂに、駆動はすば歯車４０が固設され、該駆動はすば歯車４０の後方部分に、シャフト１５の先端が臨む穴部４１が中央に削設された凹部状のフランジ部４２が形成されている。
【００３７】
印刷機のフレーム３ｂに固定された支柱（図示せず）に支持されたサブフレーム１４ｂの外側に、水平方向見当合わせ装置２で調整した位相調整量をボールねじ１３に伝達するシャフト１５と、ポテンション部１６を設けた減速機１７とが固設されている。
【００３８】
サブフレーム１４ｂに固設した軸受１８に挿入されたシャフト１５の外周に雄ねじが螺設され、該シャフト１５にボールねじ１３の雌ねじが螺着されており、該ボールねじ１３の外周に断面が略Ｃ字状の環状フランジ４４を有するねじ付歯車４３が固設されている。
【００３９】
該ねじ付歯車４３の先端部の環状フランジ部４４は、前記駆動はすば歯車４０のフランジ部４２の凹状部４２ａに挿入され、フランジ部４４の半径方向外周面とフランジ部４２の凹状部の半径方向内周面との間は、僅かに離間している。また凹状部４２ａの側壁とねじ付歯車４３の先端部の環状フランジ部４４との対抗面にはベアリング４２ｂ、４２ｃが設けられている。
【００４０】
左右方向見当合わせ装置２は、駆動モータ１９とポテンション部１６および減速機１７とから構成され、サブフレーム１４ｂに穿設した孔部を貫通した減速機１７の出力軸２０の先端に駆動歯車２１が固設され、駆動歯車２１とねじ付歯車４３の外周歯とが噛合されている。これらの構成は前記天地方向見当合わせ装置１と同様の構成となっている。
【００４１】
以上のような構成からなる天地方向見当合わせ装置１の作用につき、先ず説明する。
【００４２】
版胴５に刷版を装着し天地方向の見当合わせを開始するに当って、ポテンション部１６の角度センサー軸２９の位相角度は、角度センサー２７からプラグ３１を経て図示しない表示部に現在値として表示される。
【００４３】
表示された位相角度の数値を見ながら駆動モータ１９のスイッチを入れてモータ１９を駆動させると、減速機１７内の歯車が回転して駆動歯車２１に回転を伝達し、噛合するねじ付歯車１２を回転させる。該ねじ付歯車１２に固設されたボールねじ１３の雌ねじがシャフト１５の雄ねじ上を螺旋状に回転して前進又は後退し、断面がコの字状をしたねじ付歯車１２の内側面とはすば歯車７のフランジ部８とは摩擦板１２ｃ、１２ｄを介して圧接一体化され、はすば歯車７を軸方向の左右へ移動し、版胴５を円周方向に移動して天地見当合わせを行う。表示が設定値となれば、スイッチを切って駆動モータ１９を停止する。
なお、常時は駆動ラインシャフト１０の回転がはすば歯車７を介して版胴を回転させている。
【００４４】
次に、ポテンション部１６の移送角度が＋又は−の方向にずれた表示をし、新たな基準ゼロ点の値にするには、図６乃至図８にその調整手順を示すように、減速機１７のケース１７ａに円筒ケース２８を圧接させていた固定金具３４のねじ３３を緩めて、固定金具３４を円筒ケース２８のフランジ部３１から離間する。
【００４５】
すると、今まで固定されていた円筒ケース２８は手動で回動可能となるので、表示部を見ながら目盛が基準ゼロ点に来るように手動で円筒ケース２８を左右何れかの方向に回動する。
【００４６】
この円筒ケース２８の回動により、基板２６に固定された角度センサー２７の位相角も同時に同じ量だけ回動し、新たな基準ゼロ点の値にすることができる。設定が終了すると、固定金具３４でフランジ部３２を覆い、再びねじ３３を締め付けて円筒ケース２８を減速機ケース２７ａに固設する。
【００４７】
次に、左右方向見当合わせ装置２の作用につき説明する。
【００４８】
印刷を開始する前の試し刷りの段階において、表示された数値を見ながらスイッチを入れて駆動モータ１９を駆動させ、減速機１７を介して駆動歯車２１を回転させる。この駆動歯車２１に連結するねじ付歯車４３を介して、ボールねじ１３をシャフト１５上を回転させながら前進又は後退させるとともに、ねじ付歯車４３の環状フランジ部４４の側面を駆動はすば歯車４０の凹部状のフランジ部４２に当接させる。
【００４９】
この当接によって、はすば歯車４０は前進又は後退し、はすば分だけ版胴５を軸方向に左又は右に移動させて左右方向の見当合わせをする。表示が設定値となれば、スイッチを切り駆動モータ１９を停止する。
【００５０】
この後は、前記天地方向見当合わせと同様に、固定金具３４のねじ３３を緩めて円筒ケース２８を所定量回動し、新たな基準ゼロ点の値にする。設定が終了すると、固定金具３４でフランジ部３２を覆い、再びねじ３３を締め付けて円筒ケース２８を減速機ケース１７ａに固設してから印刷を開始する。
【図面の簡単な説明】
【００５１】
【図１】本発明に係る印刷機の見当会わせ装置の一実施形態を示す概略構成図。
【図２】図１の見当会わせ装置における天地見当調整装置の拡大図。
【図３】図１の見当会わせ装置における左右見当調整装置の拡大図。
【図４】ポテンション部と減速機の構造断面図。
【図５】円筒ケースと駆動モータの取付外観図。
【図６】固定金具のねじを緩ませた状態図。
【図７】円筒ケースを回動する状態図。
【図８】固定金具で円筒ケースを固定した状態図。
【符号の説明】
【００５２】
１・・・天地見当見合わせ装置
２・・・左右見当見合わせ装置
５・・・版胴
７・・・はすば歯車
９・・・すべりキー
１２・・・ねじ付き歯車
１３・・・ボールねじ
１５・・・シャフト
１６・・・ポテンション部
１７・・・減速機
１９・・・駆動モータ
２７・・・角度センサー
２８・・・円筒ケース
３４・・・固定金具
【図１】
0005099760.tif 000002
【図２】
0005099760.tif 000003
【図３】
0005099760.tif 000004
【図４】
0005099760.tif 000005
【図５】
0005099760.tif 000006
【図６】
0005099760.tif 000007
【図７】
0005099760.tif 000008
【図８】
0005099760.tif 000009